(57)【要約】【課題】シートの切断箇所を安定させた状態で、シートの切断面をシートの長手方向に対して確実に傾斜させて、シートを幅方向に沿って容易に切断する。【解決手段】２つの保持手段１０、２０は、シート２の切断箇所２Ａに対してシート２の長手方向の両側を保持する。距離変化手段３０は、２つの保持手段１０、２０の間の距離を変化させて、２つの保持手段１０、２０の間のシート２を長手方向に引っ張る。カッター４０は、シート２が長手方向に引っ張られた状態で、シート２の長手方向に対して切断面を傾斜させてシート２を切断する。移動装置５０は、カッター４０をシート２の一端から他端までシート２の幅方向に沿って移動させる。【選択図】  図１
2018153869.tif 000002
【特許請求の範囲】
【請求項１】
シートを幅方向に沿って切断するシート切断装置であって、
シートの切断箇所に対してシートの長手方向の両側を保持する２つの保持手段と、
２つの保持手段の間の距離を変化させて、２つの保持手段の間のシートを長手方向に引っ張る距離変化手段と、
シートが長手方向に引っ張られた状態で、シートの長手方向に対して切断面を傾斜させてシートを切断するカッターと、
カッターをシートの一端から他端までシートの幅方向に沿って移動させる移動装置と、
を備えたシート切断装置。
【請求項２】
請求項１に記載されたシート切断装置において、
保持手段は、シートを支持する支持部材と、シートを支持部材に向かって押える押え部材と、を有するシート切断装置。
【請求項３】
請求項１又は２に記載されたシート切断装置において、
シートの長手方向に対するカッターの刃の角度を変更する角度変更手段を備えたシート切断装置。
【請求項４】
シートを幅方向に沿って切断して切断されたシートを製造するシート製造方法であって、
２つの保持手段により、シートの切断箇所に対してシートの長手方向の両側を保持する工程と、
２つの保持手段の間の距離を変化させて、２つの保持手段の間のシートを長手方向に引っ張る工程と、
シートが長手方向に引っ張られた状態で、カッターをシートの一端から他端までシートの幅方向に沿って移動させて、カッターにより、シートの長手方向に対して切断面を傾斜させてシートを切断する工程と、
を有するシート製造方法。
【請求項５】
請求項４に記載されたシート製造方法において、
シートの長手方向の両側を保持する工程は、保持手段の支持部材によりシートを支持する工程と、保持手段の押え部材によりシートを支持部材に向かって押える工程と、を有するシート製造方法。
【請求項６】
請求項４又は５に記載されたシート製造方法において、
シートの長手方向に対するカッターの刃の角度を変更する工程を有するシート製造方法。
【発明の詳細な説明】
【技術分野】
【０００１】
本発明は、シートを幅方向に沿って切断するシート切断装置、及び、切断されたシートを製造するシート製造方法に関する。
【背景技術】
【０００２】
タイヤ等のゴム物品においては、ゴム製のシートがゴム物品の製造に用いられることがある。シートは、長尺な形状に形成された後、幅方向に沿って切断される。切断されたシートは、例えば、ドラムに巻き付けられて、端部同士の接合により、円筒状に成形される。また、従来、一対の傾斜支持部材の間で、カッターによりシートを切断して、シートの切断面をシートの長手方向に対して傾斜させるシート切断装置が知られている（特許文献１参照）。
【０００３】
ところが、特許文献１に記載された従来のシート切断装置では、カッターをシートに突き刺した後に、シートをカッターにより切断する。そのため、シートが厚くなるほど、カッターがシートに突き刺さり難くなり、シートの切断が困難になる。また、カッターを突き刺す力、又は、シートの厚さによっては、シートが変位することで、シートの切断面の傾斜に影響が生じることが懸念される。従って、シートの切断面をより確実に傾斜させる観点から、シートの切断の仕方に応じて、シートの切断箇所の安定性を向上させることが求められる。
【先行技術文献】
【特許文献】
【０００４】
【特許文献１】特開２００６−２３９７９１号公報
【発明の概要】
【発明が解決しようとする課題】
【０００５】
本発明は、前記従来の問題に鑑みなされたもので、その目的は、シートの切断箇所を安定させた状態で、シートの切断面をシートの長手方向に対して確実に傾斜させて、シートを幅方向に沿って容易に切断することである。
【課題を解決するための手段】
【０００６】
本発明は、シートを幅方向に沿って切断するシート切断装置である。シート切断装置は、シートの切断箇所に対してシートの長手方向の両側を保持する２つの保持手段と、２つの保持手段の間の距離を変化させて、２つの保持手段の間のシートを長手方向に引っ張る距離変化手段と、シートが長手方向に引っ張られた状態で、シートの長手方向に対して切断面を傾斜させてシートを切断するカッターと、カッターをシートの一端から他端までシートの幅方向に沿って移動させる移動装置と、を備える。
また、本発明は、シートを幅方向に沿って切断して切断されたシートを製造するシート製造方法である。シート製造方法は、２つの保持手段により、シートの切断箇所に対してシートの長手方向の両側を保持する工程と、２つの保持手段の間の距離を変化させて、２つの保持手段の間のシートを長手方向に引っ張る工程と、シートが長手方向に引っ張られた状態で、カッターをシートの一端から他端までシートの幅方向に沿って移動させて、カッターにより、シートの長手方向に対して切断面を傾斜させてシートを切断する工程と、を有する。
【発明の効果】
【０００７】
本発明によれば、シートの切断箇所を安定させた状態で、シートの切断面をシートの長手方向に対して確実に傾斜させて、シートを幅方向に沿って容易に切断することができる。
【図面の簡単な説明】
【０００８】
【図１】本実施形態のシート切断装置の側面図である。
【図２】カッターの刃と切断されたシートの断面図である。
【図３】本実施形態のシート切断装置によるシートの切断手順を示す図である。
【図４】本実施形態のシート切断装置によるシートの切断手順を示す図である。
【図５】本実施形態のシート切断装置によるシートの切断手順を示す図である。
【図６】本実施形態のシート切断装置によるシートの切断手順を示す図である。
【発明を実施するための形態】
【０００９】
本発明のシート切断装置とシート製造方法の一実施形態について、図面を参照して説明する。本実施形態のシート切断装置は、シートの長手方向に対して切断面を傾斜させつつ、シートを幅方向に沿って切断する。また、本実施形態のシート製造方法は、本実施形態のシート切断装置及びシート切断方法により、シートを幅方向に沿って切断して、切断されたシート（切断シート）を製造する。シートの幅方向は、シートの長手方向及びシートの厚さ方向に直交する方向である。シートの切断により、所定形状の切断シートが製造される。
【００１０】
以下では、タイヤを製造するときに、シート切断装置によりゴム製のシートを切断する例について説明する。シートは、タイヤ構成部材であり、タイヤの成形に用いられる。例えば、シートは、インナーライナ又はサイドゴムであり、未加硫ゴムにより所定の断面形状に形成される。
【００１１】
図１は、本実施形態のシート切断装置１の側面図であり、シート切断装置１の概略構成を示している。また、図１は、シート切断装置１の一部を二点鎖線で示し、シート２を破線で示している。図１では、シート切断装置１とシート２をシート２の幅方向外側からみて模式的に示している。
【００１２】
図示のように、シート切断装置１は、シート２を搬送する搬送装置３と、シート２を保持する２つの保持手段１０、２０（第１保持手段１０、第２保持手段２０）と、２つの保持手段１０、２０の間の距離を変化させる距離変化手段３０と、シート２を切断するカッター４０と、カッター４０を移動させる移動装置５０と、制御装置４を備えている。制御装置４は、シート切断装置１の全体を制御する制御手段であり、シート切断装置１によるシート２の切断動作を制御する。
【００１３】
シート２は、長尺な形状に形成されて、シート切断装置１に供給される。搬送装置３は、コンベア（例えば、ベルトコンベア）であり、シート２を長手方向に搬送する（搬送方向Ｈ参照）。シート２は、搬送装置３の上に載せられる。搬送装置３は、シート２の搬送及び停止を行い、シート２を所定距離だけ搬送して、シート２を停止させる。カッター４０によるシート２の切断前後に、シート２は、搬送装置３により、搬送方向Ｈに搬送される。
【００１４】
２つの保持手段１０、２０は、カッター４０によるシート２の切断箇所２Ａに対して、シート２の長手方向の両側に配置されて、切断箇所２Ａの両側を保持する。シート２の切断箇所２Ａは、シート２のカッター４０により切断される部分であり、シート２の幅方向に沿って延びる。２つの保持手段１０、２０は、シート２の切断箇所２Ａを挟んだ両側の部分に接触して、シート２の幅方向の全体に亘ってシート２を保持する。第１保持手段１０は、カッター４０に対してシート２の搬送方向Ｈの前方側に位置する前保持手段であり、第２保持手段２０は、カッター４０に対してシート２の搬送方向Ｈの後方側に位置する後保持手段である。
【００１５】
保持手段１０、２０は、シート２を支持する支持部材１１、２１と、シート２を押える押え部材１２、２２を有する。支持部材１１、２１と押え部材１２、２２により、保持手段１０、２０は、シート２の両接触面（下面、上面）に接触してシート２を挟む。支持部材１１、２１は、例えば、板状のアンビルであり、カッター４０によるシート２の切断方向に沿って配置される。
【００１６】
支持部材１１、２１は、シート２の下側に配置されて、シート２の一方の接触面（下面）に接触する。また、支持部材１１、２１は、シート２と搬送装置３の間に配置されて、保持手段１０、２０によるシート２の保持位置で、シート２の幅方向に沿ってシート２を支持する。２つの支持部材１１、２１は、シート２の切断箇所２Ａに対してシート２の長手方向の両側を支持する第１支持部材１１と第２支持部材２１であり、シート２の幅方向の全体に亘ってシート２を支持する。シート２は、２つの支持部材１１、２１に架け渡されて、２つの支持部材１１、２１の間で、搬送装置３から離して配置される。
【００１７】
押え部材１２、２２は、保持手段１０、２０によるシート２の保持位置で、シート２の上側に配置されて、シート２を支持部材１１、２１に向かって押える。また、押え部材１２、２２は、シート２の他方の接触面（上面）に接触して、シート２の支持部材１１、２１により支持された部分を押える。２つの押え部材１２、２２は、シート２の切断箇所２Ａに対してシート２の長手方向の両側を押える第１押え部材１２と第２押え部材２２である。保持手段１０、２０は、支持部材１１、２１と押え部材１２、２２の間にシート２を挟んで、支持部材１１、２１と押え部材１２、２２によりシート２を保持する。
【００１８】
保持手段１０、２０は、押え部材１２、２２を含む押え機構１３、２３を有する。押え機構１３、２３は、押え部材１２、２２を変位させる変位機構１４、２４と、変位機構１４、２４が取り付けられた取付部材１５、２５を有する。変位機構１４、２４は、ピストン・シリンダ機構であり、押え部材１２、２２は、変位機構１４、２４に設けられたピストンロッドの先端に取り付けられる。変位機構１４、２４により、押え部材１２、２２は、シート２から離間した位置（離間位置）と、シート２に接触してシート２を押える位置（押え位置）とに変位する（矢印Ｐ１、Ｐ２参照）。
【００１９】
保持手段１０、２０は、押え機構１３、２３（変位機構１４、２４）により、押え部材１２、２２を離間位置から押え位置に変位させて、押え部材１２、２２によりシート２を押える。これにより、保持手段１０、２０は、シート２を保持する。また、保持手段１０、２０は、押え機構１３、２３により、押え部材１２、２２を押え位置から離間位置に変位させて、押え部材１２、２２をシート２から離間させる。これにより、保持手段１０、２０は、シート２の保持を解除する。
【００２０】
ここでは、保持手段１０、２０の押え機構１３、２３は、シート２の幅方向に沿って順に配置された複数の押え部材１２、２２及び複数の変位機構１４、２４を有する。複数の変位機構１４、２４は、取付部材１５、２５に取り付けられて、支持部材１１、２１の上方に配置される。複数の押え部材１２、２２は、それぞれ変位機構１４、２４により、離間位置と押え位置に変位して、シート２の接触面（上面）に接触し、シート２を支持部材１１、２１に向かって押える。保持手段１０、２０は、複数の押え部材１２、２２により、シート２の幅方向の全体に亘ってシート２を押える。シート２の接触面に凹凸又は起伏があるときでも、複数の押え部材１２、２２のそれぞれが、シート２の接触面に接触して、シート２を押える。
【００２１】
距離変化手段３０は、保持手段１０、２０の一方又は両方をシート２の長手方向に移動させる移動手段であり、２つの保持手段１０、２０の間の距離（シート２の長手方向の距離）を変化させる。ここでは、距離変化手段３０は、一方の保持手段（第２保持手段２０）を移動させる移動機構３１を有し、移動機構３１により、第２保持手段２０のみを移動させる（矢印Ｒ参照）。第１保持手段１０は、シート２の長手方向に移動せず、シート２の切断箇所２Ａに隣接する位置に配置される。
【００２２】
移動機構３１は、可動部材３２と、可動部材３２を駆動する駆動機構３３を有する。可動部材３２は、シート２及び搬送装置３の両側に配置される一対のサイド部３２Ａと、一対のサイド部３２Ａの間に設けられたベース部３２Ｂを有する。支持部材２１の両端部及び取付部材２５の両端部は、一対のサイド部３２Ａに取り付けられる。ベース部３２Ｂは、搬送装置３の下方でシート２の幅方向に沿って配置されて、駆動機構３３に取り付けられる。支持部材２１と押え機構２３（押え部材２２）が可動部材３２に連結されて、第２保持手段２０が可動部材３２に取り付けられる。
【００２３】
駆動機構３３は、搬送装置３の下方に配置されたピストン・シリンダ機構である。可動部材３２のベース部３２Ｂは、駆動機構３３に設けられたピストンロッドの先端に取り付けられる。移動機構３１は、駆動機構３３により、可動部材３２と第２保持手段２０を一体に移動させる。距離変化手段３０は、移動機構３１により、第２保持手段２０をシート２の長手方向（搬送方向Ｈの前方側と後方側）に移動させる。第２保持手段２０は、第１保持手段１０に隣接する位置と、第１保持手段１０から搬送方向Ｈの後方側に離間した位置とに移動する。
【００２４】
距離変化手段３０は、第２保持手段２０の移動により、シート２を保持する２つの保持手段１０、２０の間の距離を変化させて、２つの保持手段１０、２０の間の距離を長くする。２つの保持手段１０、２０により、距離変化手段３０は、２つの保持手段１０、２０の間のシート２を長手方向に引っ張る。これにより、２つの保持手段１０、２０の間で、シート２が搬送方向Ｈに平行な方向に引っ張られて、シート２に所定のテンションが加えられる。その際、距離変化手段３０は、シート２を塑性変形させずに、弾性範囲内でシート２を引っ張る。その結果、シート２は、長手方向に弾性変形する。
【００２５】
カッター４０は、２つの保持手段１０、２０の間でシート２を切断する切断装置であり、搬送装置３の上方に配置される。また、カッター４０は、移動装置５０により支持されて、２つの保持手段１０、２０の間でシート２の幅方向に沿って移動する。ここでは、カッター４０は、回転可能な刃４１（回転刃）と、刃４１を回転させる回転装置４２と、移動装置５０との連結用の連結部材４３を有する。
【００２６】
シート２が長手方向に引っ張られた状態で、カッター４０は、刃４１により、シート２の長手方向に対してシートの切断面を傾斜させて、シート２を幅方向に沿って切断する。刃４１は、円盤状の切断刃であり、リング状の外周部４１Ａによりシート２を切断する。刃４１の外周部４１Ａは、刃４１の半径方向外側に向かって次第に薄くなる。回転装置４２は、モーターであり、回転装置４２の回転軸４２Ａは、刃４１の半径方向の中心部に取り付けられている。刃４１が回転装置４２により周方向に回転しながら、シート２が刃４１により切断される。
【００２７】
図２は、カッター４０の刃４１と切断されたシート２の断面図である。図２Ａは、刃４１の半径方向に切断した刃４１の一部を示し、図２Ｂは、シート２の長手方向と厚さ方向を含む断面を示している。
図示のように、カッター４０の刃４１は、シート２の長手方向に対して傾斜して配置される。シート２の長手方向に対する刃４１の角度（刃角度Ｋ）に対応して、シート２の切断面２Ｂは、シート２の長手方向及び厚さ方向に対して傾斜する。シート２の切断面２Ｂは、カッター４０により切断されたシート２の端面である。シート２の長手方向に対する切断面２Ｂの角度（切断面角度Ｍ）は、刃角度Ｋに対応した角度になる。ここでは、シート２の弾性等により、切断面角度Ｍは、刃角度Ｋよりも大きくなる。
【００２８】
カッター４０の連結部材４３（図１参照）は、Ｌ字状に形成されて、回転装置４２と移動装置５０に取り付けられている。また、連結部材４３は、移動装置５０に向かって突出するとともに、移動装置５０に対向して配置される。カッター４０は、連結部材４３により移動装置５０に連結されて、移動装置５０により移動する。
【００２９】
シート切断装置１は、カッター４０の刃角度Ｋを変更する角度変更手段６０を備えている。角度変更手段６０は、楔状のスペーサ６１を有する。スペーサ６１が連結部材４３と移動装置５０の間に配置された状態で、連結部材４３が取付手段（図示せず）により移動装置５０に取り付けられる。移動装置５０に対する連結部材４３の取付角度は、スペーサ６１の２つの接触面（連結部材４３との接触面、移動装置５０との接触面）の間の角度Ｓに対応する。スペーサ６１の角度Ｓを変更することで、連結部材４３の取付角度及びカッター４０の刃角度Ｋが変更される。
【００３０】
カッター４０の刃角度Ｋを変更するときには、スペーサ６１を、刃角度Ｋに対応する角度Ｓに形成されたスペーサ６１に交換する。これにより、カッター４０の刃角度Ｋがシート２の切断面角度Ｍに対応して変更されて、シート２の切断面角度Ｍが変更される。刃角度Ｋの変更後に、シート２は、カッター４０の刃４１により、所定の切断面角度Ｍで切断される。従って、角度変更手段６０により、カッター４０の刃角度Ｋ及びシート２の切断面角度Ｍが変更される。
【００３１】
移動装置５０は、搬送装置３の上方に配置されて、搬送装置３の上方でカッター４０を移動させる。カッター４０によるシート２の切断時に、移動装置５０により、カッター４０及び刃４１は、シート２の幅方向における一端から他端まで、シート２の幅方向に沿って移動する。移動装置５０は、レール状のリニアガイド５１と、リニアガイド５１に移動可能に連結された移動部５２を有する。
【００３２】
リニアガイド５１は、シート２の幅方向に沿って配置されて、カッター４０によるシート２の切断方向に移動部５２をガイドする。移動部５２は、駆動機構（図示せず）により駆動されて、リニアガイド５１に沿って移動する。移動装置５０は、移動部５２の移動により、移動部５２に連結されたカッター４０をシート２の切断方向に移動させる。
【００３３】
移動装置５０により、カッター４０（刃４１）は、シート２の一方の側方位置から他方の側方位置まで移動する。シート２の側方位置は、シート２の両端（一端、他端）よりもシート２の幅方向外側の位置である。シート２の切断を開始する前に、カッター４０は、シート２の一方の側方位置に配置される。シート２の切断時には、移動装置５０により、カッター４０は、シート２の一方の側方位置からシート２の一端まで移動して、シート２の一端に接触する。続いて、カッター４０は、シート２を切断しつつ、シート２の幅方向に沿ってシート２の他端まで移動する。これにより、シート２が幅方向に沿って切断される。その後、カッター４０は、シート２の他端からシート２の他方の側方位置に移動する。
【００３４】
図３〜図６は、本実施形態のシート切断装置１によるシート２の切断手順を示す図であり、シート切断装置１の一部とシート２を図１と同様に示している。
図示のように、シート２の切断を開始する前に、移動装置５０により、カッター４０をシート２の一方の側方位置に配置して、待機位置で待機させる（図３参照）。また、距離変化手段３０により、第２保持手段２０を第１保持手段１０に隣接する位置に配置し、押え機構１３、２３により、押え部材１２、２２を離間位置に配置する。
【００３５】
シート２は、押え部材１２、２２により押えられず、保持手段１０、２０により保持されない。その状態で、搬送装置３により、シート２の長手方向（搬送方向Ｈ）にシート２を搬送する。シート２は、支持部材１１、２１の接触面（上面）をスライドして、支持部材１１、２１を乗り越えながら、搬送方向Ｈに搬送される。搬送装置３は、シート２を所定距離だけ搬送したときに、シート２の搬送を停止する。シート２は、搬送装置３と支持部材１１、２１の上で停止して、支持部材１１、２１により支持される。
【００３６】
カッター４０に対してシート２の搬送方向Ｈの前方側で、押え部材１２によりシート２を支持部材１１に向かって押えて、第１保持手段１０によりシート２を保持する（図４参照）。その状態で、距離変化手段３０により、第２保持手段２０を搬送方向Ｈの後方側に移動させて、第１保持手段１０から第２保持手段２０を離間させる。その際、支持部材２１は、シート２の接触面（下面）をスライドして、シート２と搬送装置３の間で、シート２の長手方向に沿って移動する。距離変化手段３０により、第２保持手段２０は、カッター４０によるシート２の切断を妨げない位置で停止する。
【００３７】
カッター４０に対してシート２の搬送方向Ｈの後方側で、押え部材２２によりシート２を支持部材２１に向かって押えて、第２保持手段２０によりシート２を保持する（図５参照）。２つの保持手段１０、２０により、シート２の切断箇所２Ａに対してシート２の長手方向の両側を保持する。次に、距離変化手段３０により、第２保持手段２０を搬送方向Ｈの後方側に移動させて、２つの保持手段１０、２０の間の距離を変化させる（図６参照）。これにより、２つの保持手段１０、２０を離間させて、２つの保持手段１０、２０の間のシート２を長手方向に引っ張る。
【００３８】
シート２が長手方向に引っ張られた状態で、移動装置５０により、カッター４０を、シート２の一端から他端まで、シート２の幅方向に沿って移動させる。移動するカッター４０の刃４１により、シート２の長手方向に対してシート２の切断面２Ｂを傾斜させて、シート２を一端から他端まで幅方向に沿って切断する。その後、移動装置５０により、カッター４０を待機位置に移動させる。また、押え機構１３、２３により、押え部材１２、２２を離間位置に配置して、保持手段１０、２０によるシート２の保持を解除する。続いて、距離変化手段３０により、第２保持手段２０を第１保持手段１０に隣接する位置に配置する（図３参照）。
【００３９】
シート切断装置１は、以上の切断手順を繰り返して、シート２の切断箇所２Ａを順に切断し、シート２を所定長さに切断する。これにより、複数の切断シートが順に製造される。シート２の切断面角度Ｍを変更するときには、角度変更手段６０により、カッター４０の刃角度Ｋを変更する。刃角度Ｋを変更することで、種々の切断面角度Ｍでシート２が切断される。ここでは、カッター４０の刃角度Ｋが５°〜２５°の間の角度に設定されて、シート２が１０°〜３０°の間の切断面角度Ｍで切断される。
【００４０】
以上説明したシート切断装置１では、２つの保持手段１０、２０により、シート２を保持して引っ張る状態で、シート２を切断する。また、カッター４０により、シート２を突き刺すことなく、シート２を一端から他端まで切断する。そのため、シート２の切断箇所２Ａを安定させた状態で、シート２の切断面２Ｂをシート２の長手方向に対して確実に傾斜させて、シート２を幅方向に沿って容易に切断することができる。また、シート２の切断面角度Ｍを従来の切断面角度よりも小さくすることができる。
【００４１】
保持手段１０、２０は、支持部材１１、２１によりシート２を支持して、押え部材１２、２２によりシート２を支持部材１１、２１に向かって押える。これにより、シート２を確実に保持して、シート２の切断箇所２Ａをより安定させることができる。また、角度変更手段６０により、シート２の切断面角度Ｍの変更に容易に対応することができる。
【００４２】
なお、シート２は、カッター４０により、幅方向に沿って切断される。その際、例えば、シート２は、幅方向に平行に切断され、或いは、湾曲又は蛇行するように幅方向に沿って切断される。これに対し、シート２を、幅方向に対して傾斜するように、幅方向に沿って切断してもよい。シート２の切断方向が傾斜する場合には、シート２の幅方向に対するシート２の切断方向の角度が所定角度になるように、シート２が幅方向に対して所定角度で傾斜する方向に切断される。
【００４３】
シート２の接触面（上面）の形状によっては、保持手段１０、２０の押え部材１２、２２は、それぞれ１つの板状部材であってもよい。この場合には、押え部材１２、２２は、シート２の幅方向に沿って配置されて、カッター４０によるシート２の切断方向に沿ってシート２を押える。保持手段１０、２０は、支持部材１１、２１と押え部材１２、２２以外の部材によりシート２を保持する保持手段であってもよく、他の機構（例えば、吸着機構）によりシート２を保持する保持手段であってもよい。距離変化手段３０により、第１保持手段１０のみを移動させてもよく、第１保持手段１０と第２保持手段２０を共に移動させてもよい。
【００４４】
カッター４０の刃４１は、回転刃に限定されず、シート２を切断可能な他の刃であってもよい。また、カッター４０は、超音波カッターであってもよい。シート２は、シート状のタイヤ構成部材以外のシートであってもよい。
【符号の説明】
【００４５】
１・・・シート切断装置、２・・・シート、３・・・搬送装置、４・・・制御装置、１０・・・第１保持手段、１１・・・支持部材、１２・・・押え部材、１３・・・押え機構、１４・・・変位機構、１５・・・取付部材、２０・・・第２保持手段、２１・・・支持部材、２２・・・押え部材、２３・・・押え機構、２４・・・変位機構、２５・・・取付部材、３０・・・距離変化手段、３１・・・移動機構、３２・・・可動部材、３３・・・駆動機構、４０・・・カッター、４１・・・刃、４２・・・回転装置、４３・・・連結部材、５０・・・移動装置、５１・・・リニアガイド、５２・・・移動部、６０・・・角度変更手段、６１・・・スペーサ。
【図１】
2018153869.tif 000003
【図２】
2018153869.tif 000004
【図３】
2018153869.tif 000005
【図４】
2018153869.tif 000006
【図５】
2018153869.tif 000007
【図６】
2018153869.tif 000008